(57)【要約】【課題】静電容量結合方式のタッチパネル機能を有し表示面への接触物の接触位置を検出可能であるとともに映像を表示可能な表示装置に用いられる有用なカラーフィルタを提供する。【解決手段】カラーフィルタ５０は、基材５２と、基材の一方の側に設けられ複数の着色部５６を有するカラーフィルタ層５４と、基材の他方の側に設けられた電極部６０と、電極部６０，７０とカラーフィルタ層５４との間に設けられたシールド層と、を備える。電極部は表示面１２への接触位置を検出するための回路に電気的に接続されるようになる。シールド層は、電極部から絶縁されるとともに、接地されるようになる。【選択図】図２
2010072584.tif 000002
【特許請求の範囲】
【請求項１】
静電容量結合方式のタッチパネル機能を有し表示面への接触を検出可能な表示装置に用いられるカラーフィルタであって、
基材と、
前記基材の一方の側に設けられ、複数の着色部を有するカラーフィルタ層と、
前記基材の他方の側に設けられ、前記表示装置に組み込まれた際に前記接触を検出するための回路に電気的に接続されるように構成された電極部と、
前記電極部と前記カラーフィルタ層との間に、前記電極部から絶縁されるようにして配置されたシールド層と、を備え、
前記シールド層は、導電性を有するとともに、前記表示装置に組み込まれた際に接地されるように構成されている
ことを特徴とするカラーフィルタ。
【請求項２】
前記電極部は、前記基材の他方の側に設けられた第１電極部と、前記第１電極部と前記シールド層との間に配置された第２電極部と、を有し、
前記第１電極部と前記第２電極部との間に、前記第１電極部と前記第２電極部とを互いから絶縁するフィルムが設けられ、
前記第１電極部は、一方向に並べて配置された複数の導電体であって、各々が前記一方向と交差する方向に延びている、複数の導電体を含み、
前記第２電極部は、前記一方向とは異なる他方向に並べて配置された複数の導電体であって、各々が前記他方向と交差する方向に延びている、複数の導電体を含む
ことを特徴とする請求項１に記載のカラーフィルタ。
【請求項３】
前記フィルムは、前記光学等方性である
ことを特徴とする請求項２に記載のカラーフィルタ。
【請求項４】
前記一方向は前記他方向と直交する
ことを特徴とする請求項２または３に記載のカラーフィルタ。
【請求項５】
前記電極部は、面状の透明導電体、格子状の金属または縞状の金属からなっている
ことを特徴とする請求項１〜４のいずれか一項に記載のカラーフィルタ。
【請求項６】
前記シールド層は、面状の透明導電体または格子状の金属からなっている
ことを特徴とする請求項１〜５のいずれか一項に記載のカラーフィルタ。
【請求項７】
前記カラーフィルタ層の前記基材とは反対の側に配置された透明電極層を、さらに備え、
前記透明電極層は、前記表示装置に組み込まれた際に各画素の表示を制御するための電極として機能するように構成され、
前記シールド層は、前記透明電極層から絶縁されるようにして前記透明電極層と前記電極部との間に配置されている
ことを特徴とする請求項１〜６のいずれか一項に記載のカラーフィルタ。
【請求項８】
請求項１〜７のいずれか一項に記載のカラーフィルタを備える
ことを特徴とする表示装置。
【請求項９】
前記カラーフィルタに対向して配置された基板と、
前記カラーフィルタと前記基板との間に配置された液晶層と、をさらに備える
ことを特徴とする請求項８に記載の表示装置。
【請求項１０】
フィルムと、
前記フィルムの一方の面上に支持され、所定のパターンを有する第１電極部と、
前記フィルムの他方の面上に支持され、所定のパターンを有する第２電極部と、を備え、
前記第１電極部と前記第２電極部とは、前記フィルムによって絶縁されている
ことを特徴とする表示装置用電極付フィルム。
【請求項１１】
前記フィルムは、光学等方性である
ことを特徴とする請求項１０に記載の表示装置用電極付フィルム。
【請求項１２】
前記第１電極部は、一方向に並べて配置された複数の導電体であって、各々が前記一方向と交差する方向に延びている、複数の導電体を含み、
前記第２電極部は、前記一方向とは異なる他方向に並べて配置された複数の導電体であって、各々が前記他方向と交差する方向に延びている、複数の導電体を含む
ことを特徴とする請求項１０または１１に記載の表示装置用電極付フィルム。
【請求項１３】
前記一方向は前記他方向と直交する
ことを特徴とする請求項１２に記載の表示装置用電極付フィルム。
【請求項１４】
請求項１０〜１３のいずれか一項に記載の表示装置用電極付フィルムを製造する方法であって、
フィルムと、前記フィルムの一方の面上に成膜された第１導電性膜と、前記第１導電性膜上に成膜された第１感光性膜と、前記フィルムの他方の面上に成膜された第２導電性膜と、前記第２導電性膜上に成膜された第２感光性膜と、を有する積層体を準備する工程と、
前記第１感光性膜上に第１マスクを配置するとともに前記第２感光性膜上に第２マスクを配置した状態で前記第１感光性膜および前記第２感光性膜を同時にパターン露光して、前記第１感光性膜および前記第２感光性膜をパターニングする工程と、
前記第１感光性膜および前記第２感光性膜がパターニングされた積層体をエッチングし、前記第１導電性膜をパターニングして前記第１電極部を形成するとともに、前記第２導電性膜をパターニングして前記第２電極部を形成する工程と、を含む
ことを特徴とする表示装置用電極付フィルムの製造方法。
【請求項１５】
請求項２〜４のいずれか一項に記載のカラーフィルタを製造する方法であって、
フィルムと、前記フィルムの一方の面上に支持され、所定のパターンを有する第１電極部と、前記フィルムの他方の面上に支持され、所定のパターンを有する第２電極部と、を有し、前記第１電極部と前記第２電極部とが前記フィルムによって絶縁されている、電極付フィルムを準備する工程と、
前記基材と、前記基材に支持された前記シールド層および前記カラーフィルタ層と、を有する積層体を準備する工程と、
前記電極付フィルムと前記積層体とを接着層を介して接着する工程と、を備える
ことを特徴とするカラーフィルタの製造方法。
【発明の詳細な説明】
【技術分野】
【０００１】
本発明は、静電容量結合方式のタッチパネル機能を有し表示面への接触（タッチ）を検出可能であるとともに映像を表示可能な表示装置に用いられる基板、および、静電容量結合方式のタッチパネル機能を有し表示面への接触（タッチ）を検出可能であるとともに映像を表示可能な表示装置に関する。
【背景技術】
【０００２】
現在、液晶パネル等の表示パネルを有する表示装置が組み込まれた種々の装置、例えば、券売機、ＡＴＭ装置、形態電話、ゲーム機等に対する入力手段として、タッチパネルが広く用いられている。タッチパネルは、通常、表示パネルとは別個に製造され、表示パネル上に重ねて配置されている（例えば、特許文献１）。
【０００３】
タッチパネルにおいて表示面への接触物（指やペン等）の接触位置を検出する方式として、種々の方式が採用されている。広く用いられている方式として、二枚の導電膜を離間して配置してなる抵抗膜方式がある。抵抗膜方式のタッチパネルにおいては、接触物の接触により二枚の導電膜が部分的に導通することによって、表示面への接触位置を検出することが可能となっている。
【特許文献１】特開２００６−２３９０４号公報
【発明の開示】
【発明が解決しようとする課題】
【０００４】
ところが、タッチパネルを表示パネル上に配置した場合、最観察者側の表面（この場合、タッチパネルの表面）だけでなく、タッチパネルと表示パネルとの界面においても、光が反射し得るようになる。この結果、照明光のような環境光（外光）がより多く反射してコントラストが低下してしまうとともに、表示パネルで表示される映像光の透過率が低下してしまう。
【０００５】
とりわけ、抵抗膜方式のタッチパネルにおいては、二枚の導電膜間においても光の反射が生じる。このため、コントラストの低下および映像光の透過率の低下が顕著となる。これに対し、特許文献１に開示されている静電容量結合方式のタッチパネルは、一枚の導電膜で接触位置を検出し得るように構成されている。したがって、静電容量結合方式のタッチパネルは、抵抗膜方式のタッチパネルと比較して、優れた画質で映像を表示することができる。ただし、この静電容量結合方式のタッチパネルを貼合された表示装置に対しても、現状において、映像光の透過率およびコントラストが十分とは評価されておらず、さらなる改善が求められている。
【０００６】
また、昨今においては表示装置として薄型の表示パネルを有したフラットパネルディスプレイが広く普及している。しかしながら、表示パネル上に別個のタッチパネルを重ねることによって、表示用のパネル全体としての厚みが厚くなってしまう、といった不具合も生じる。
【０００７】
さらに、現状のタッチパネルに対する種々の性能等について、例えば、入力に対する感度、表示パネルの厚さ、製造コスト等についても改善が求められている。
【０００８】
本発明は、このような観点からなされたものであり、静電容量結合方式のタッチパネル機能を有し表示面への接触物の接触位置を検出可能であるとともに映像を表示可能な表示装置に用いられる有用な基板、および、静電容量結合方式のタッチパネル機能を有し表示面への接触物の接触位置を検出可能であるとともに映像を表示可能な有用な表示装置を提供することを目的としている。
【課題を解決するための手段】
【０００９】
本発明によるカラーフィルタは、静電容量結合方式のタッチパネル機能を有し表示面への接触を検出可能な表示装置に用いられるカラーフィルタであって、基材と、前記基材の一方の側に設けられ、複数の着色部を有するカラーフィルタ層と、前記基材の他方の側に設けられ、前記表示装置に組み込まれた際に前記接触を検出するための回路に電気的に接続されるように構成された電極部と、前記電極部と前記カラーフィルタ層との間に、前記電極部から絶縁されるようにして配置されたシールド層と、を備え、前記シールド層は、導電性を有するとともに、前記表示装置に組み込まれた際に接地されるように構成されていることを特徴とする。
【００１０】
本発明によるカラーフィルタにおいて、前記電極部は、前記基材の他方の側に設けられた第１電極部と、前記第１電極部と前記シールド層との間に配置された第２電極部と、を有し、前記第１電極部と前記第２電極部との間に、前記第１電極部と前記第２電極部とを互いから絶縁するフィルムが設けられ、前記第１電極部は、一方向に並べて配置された複数の導電体であって、各々が前記一方向と交差する方向に延びている、複数の導電体を含み、前記第２電極部は、前記一方向とは異なる他方向に並べて配置された複数の導電体であって、各々が前記他方向と交差する方向に延びている、複数の導電体を含むようにしてもよい。このような本発明によるカラーフィルタにおいて、前記フィルムは、前記光学等方性であることが好ましい。また、このような本発明によるカラーフィルタにおいて、前記一方向は前記他方向と直交するようにしてもよい。
【００１１】
また、本発明によるカラーフィルタにおいて、前記電極部は、面状の透明導電体、格子状の金属または縞状の金属からなっていてもよい。
【００１２】
さらに、本発明によるカラーフィルタにおいて、前記シールド層は、面状の透明導電体または格子状の金属からなっていてもよい。
【００１３】
さらに、本発明によるカラーフィルタが、前記カラーフィルタ層の前記基材とは反対の側に配置された透明電極層を、さらに備え、前記透明電極層は、前記表示装置に組み込まれた際に各画素の表示（光の透過）を制御するための電極として機能するように構成され、前記シールド層は、前記透明電極層から絶縁されるようにして前記透明電極層と前記電極部との間に配置されていてもよい。
【００１４】
さらに、本発明による表示装置は、上述したいずれかのカラーフィルタを備えることを特徴とする。
【００１５】
本発明による表示装置が、前記カラーフィルタに対向して配置された基板と、前記カラーフィルタと前記基板との間に配置された液晶層と、をさらに備えてもよい。
【００１６】
本発明による表示装置用電極付フィルムは、フィルムと、前記フィルムの一方の面上に支持され、所定のパターンを有する第１電極部と、前記フィルムの他方の面上に支持され、所定のパターンを有する第２電極部と、を備え、前記第１電極部と前記第２電極部とは、前記フィルムによって絶縁されていることを特徴とする。
【００１７】
本発明による表示装置用電極付フィルムにおいて、前記フィルムは、光学等方性であることが好ましい。
【００１８】
また、本発明による表示装置用電極付フィルムにおいて、前記第１電極部は、一方向に並べて配置された複数の導電体であって、各々が前記一方向と交差する方向に延びている、複数の導電体を含み、前記第２電極部は、前記一方向とは異なる他方向に並べて配置された複数の導電体であって、各々が前記他方向と交差する方向に延びている、複数の導電体を含むようにしてもよい。このような本発明による表示装置用電極付フィルムにおいて、前記一方向は前記他方向と直交していてもよい。
【００１９】
本発明による電極付フィルムの製造方法は、上述したいずれかの本発明による電極付フィルムを製造する方法であって、フィルムと、前記フィルムの一方の面上に成膜された第１導電性膜と、前記第１導電性膜上に成膜された第１感光性膜と、前記フィルムの他方の面上に成膜された第２導電性膜と、前記第２導電性膜上に成膜された第２感光性膜と、を有する積層体を準備する工程と、前記第１感光性膜上に第１マスクを配置するとともに前記第２感光性膜上に第２マスクを配置した状態で前記第１感光性膜および前記第２感光性膜を同時にパターン露光して、前記第１感光性膜および前記第２感光性膜をパターニングする工程と、前記第１感光性膜および前記第２感光性膜がパターニングされた積層体をエッチングし、前記第１導電性膜をパターニングして前記第１電極部を形成するとともに、前記第２導電性膜をパターニングして前記第２電極部を形成する工程と、を含むことを特徴とする。
【００２０】
本発明によるカラーフィルタの製造方法は、上述したいずれかの本発明によるカラーフィルタを製造する方法であって、フィルムと、前記フィルムの一方の面上に支持され、所定のパターンを有する第１電極部と、前記フィルムの他方の面上に支持され、所定のパターンを有する第２電極部と、を有し、前記第１電極部と前記第２電極部とが前記フィルムによって絶縁されている、電極付フィルムを準備する工程と、前記基材と、前記基材に支持された前記シールド層および前記カラーフィルタ層と、を有する積層体を準備する工程と、前記電極付フィルムと前記積層体とを接着層を介して接着する工程と、を備えることを特徴とする。
【発明を実施するための形態】
【００２１】
以下、図面を参照して本発明の一実施の形態について説明する。
【００２２】
なお、本件明細書に添付する図面においては、図示と理解のしやすさの便宜上、適宜縮尺および縦横の寸法比等を、実物のそれらから変更し誇張してある。
【００２３】
また、なお、本件において、「シート」、「フィルム」、「板」、「膜」の用語は、呼称の違いのみに基づいて、互いから区別されるものではない。したがって、例えば、「シート」はフィルム、板や膜等とも呼ばれ得るような部材や部分も含む概念である。
【００２４】
図１乃至図５は本発明による一実施の形態を説明するための図である。このうち図１は表示装置の構成を概略的に示す図であり、図２は表示面の法線方向に沿った断面において表示装置の表示パネルを示す図であり、図３は図２のＩＩＩ−ＩＩＩ線に沿った断面図であり、図４は表示パネルのカラーフィルタを示す上面図である。
【００２５】
図１乃至図４に示された表示装置１０は、静電容量結合方式のタッチパネル機能を有し表示面への外部導体（例えば、人間の指）の接触位置を検出可能であるとともに映像を表示可能な装置として、構成されている。つまり、表示装置１０は、文字や図等の情報を映像として出力する出力装置として機能するとともに、表示面１２へ接触（タッチ）することにより情報を入力する入力装置としても機能する。
【００２６】
ここで、「静電容量結合」方式との用語は、タッチパネルの技術分野で用いられる際の意味と同様の意味を有するものとして、本件においても用いている。なお、「静電容量結合」方式は、タッチパネルの技術分野において「静電容量」方式や「容量結合」方式等とも呼ばれており、本件では、これらの「静電容量」方式や「容量結合」方式等と同義の用語として取り扱う。典型的な静電容量結合方式のタッチパネルは導電体層を含んでおり、外部の導体（典型的には人間の指）がタッチパネルに接触することにより、外部の導体とタッチパネルの導電体層との間でコンデンサ（静電容量）が形成されるようになる。そして、このコンデンサの形成にともなった電気的な状態の変化に基づき、タッチパネル上において外部導体が接触している位置の位置座標が特定されるようになる。
【００２７】
図１乃至図５に示すように、本実施の形態における表示装置１０は、液晶表示パネル（ＬＣＤパネル、液晶パネル）として構成された表示パネル４０を有している。すなわち、以下の実施の形態においては、本発明を液晶表示装置（液晶ディスプレイ）に適用した例について説明する。
【００２８】
図１に示すように、表示装置１０は、表示パネル４０と、表示パネル４０に接続され表示パネル４０の駆動を制御する制御部２０と、液晶パネルとしての表示パネル４０を背面側（非観察者側）から照明する面光源装置（バックライト）３０と、を有している。本実施の形態においては、液晶パネルとして形成された表示パネル４０が面光源装置３０からの面状光を選択的に透過させることにより、映像を表示面１２に表示することができるようになっている。また、表示パネル４０の表示面１２が、タッチパネルの入力面（タッチ面、接触面）として機能するようになる。つまり、表示面１２に導体、例えば人間の指を接触させることにより、表示装置１０に対して外部から情報を入力することができるようになっている。
【００２９】
面光源装置３０としては、例えば、エッジライト型や直下型等の面光源装置を適宜用いることができる。
【００３０】
制御部２０は、表示されるべき映像に関する情報を処理する映像情報処理部２２と、表示面１２を介して入力される情報を処理する入力情報処理部２４と、を有している。映像情報処理部２２は、表示パネル４０に接続され、映像情報に基づいて表示パネル４０を駆動する。すなわち、映像情報処理部２２は、映像情報に基づいて、各画素の表示状態を制御するように構成された回路（駆動回路）を含んでいる。
【００３１】
一方、入力情報処理部２４は、表示パネル４０に接続され、表示面１２を介して入力された情報を処理する。具体的には、入力情報処理部２４は、表示面１２へ導体（典型的には、人間の指）が接触している際に、表示面１２への導体の接触位置を特定し得るように構成された回路（検出回路）を含んでいる。また、入力情報処理部２４は、映像情報処理部２２と接続され、処理した入力情報を映像情報処理部２２へ送信することもできる。この際、映像情報処理部２２は、入力情報に基づいた映像情報を作成し、入力情報に対応した映像を表示面１２に表示させるようにすることもできる。
【００３２】
このような制御部２０の映像情報処理部２２および入力情報処理部２４については、回路構成も含め、従来の映像表示装置で用いられている映像情報処理部２２や、従来のタッチパネル装置で用いられている入力情報処理部２４と同様に構成することができ、ここでは、これ以上の詳細な説明を省略する。なお、一例として、上述した特許文献１（特開２００６−２３９０４号公報）に、入力情報処理部２４に含まれる回路の一例が開示されている。
【００３３】
次に、表示パネル４０について詳述する。なお、表示パネル４０は、表示装置１０が映像を表示することを可能とするための構成と、表示装置１０がタッチパネルとして機能することを可能にするための構成と、を含んでいる。このうち、まず、表示パネル４０の主に映像表示装置として機能するための構成について説明し、その後、表示パネル４０の主にタッチパネルとして機能するための構成について説明する。
【００３４】
図１に示すように、表示パネル４０は、映像を表示することができる表示領域Ａ１と、表示領域Ａ１を取り囲むようにして表示領域Ａ１の外側に配置された非表示領域Ａ２と、を含んでいる。表示領域Ａ１は、画素領域Ａ１１と、画素領域Ａ１１の外側の領域である非画素領域Ａ１２と、からなっている（図４参照）。ここで画素領域Ａ１１とは、映像光が透過可能であるとともに画像を構成する最小要素となる画素が位置している（占めている）領域のことである。
【００３５】
本実施の形態において、画素領域Ａ１１は一つの画素を構成するようになる単位画素（絵素）ＵＰを複数有し、各単位画素ＵＰは三つのサブ画素ＳＰから構成されている。三つのサブ画素ＳＰはそれぞれ異なる色を選択的に透過させるようになっている。すなわち、三つのサブ画素ＳＰから、それぞれ、互いに異なる波長域帯の光が透過する。具体的には、三つのサブ画素ＳＰは、それぞれ、赤色光、緑色光および青色光を選択的に透過させるように構成され、これにより、表示面１２にカラー映像を表示することができるようになっている。
【００３６】
図２に示すように、液晶パネルとしての表示パネル４０は、第１の基板（以下において、カラーフィルタ（カラーフィルタ基板）または対向基板とも呼ぶ）５０と、第１基板５０に対面して第１基板５０の背面側（面光源装置側）に配置された第２基板（以下において、素子基板、アレイ基板とも呼ぶ）８０と、第１基板５０および第２基板８０の間に封入された液晶層４５と、を有している。
【００３７】
図２に示すように、第１基板５０は、透明な板状の第１の基材５２と、第１基材５２の一方の側（図２における上側）に形成されたカラーフィルタ層５４と、を有している。第１の基材５２は、例えば、樹脂製の板材や板ガラスから構成される。図２および図４に示すように、カラーフィルタ層５４は、遮光作用を有し非画素領域を形成する遮光部５５を有している。遮光部５５は、各々がサブ画素ＳＰを構成するようになる貫通開口を形成されている。この遮光部５５は、いわゆるブラックマトリクスとして機能し、コントラストの向上に寄与し得る。また、本実施の形態において、各サブ画素ＳＰを構成する貫通開口には、当該サブ画素ＳＰの表示色に着色された着色層５６（５６Ｒ，５６Ｇ，５６Ｂ）が形成されている。なお、遮光部５５および着色層５６の詳細な構成や作製方法等については、種々の公知文献（例えば、特開２００５−３３１９３７）に開示されており、ここでは、詳細な説明を省略する。
【００３８】
さらに、第１基板５０には、液晶パネルの観察者側の基板（カラーフィルタ基板）として有効に機能するため、その他の構成要素が適宜設けられている。例えば、第１基板５０の液晶層４５に対面する側には、透明電極層５８（図２参照）および配向膜（図示せず）等が設けられ、さらに、第１基材５２の液晶層４５とは反対の側には、偏光板５９等が設けられる。このうち、透明電極層５８は、各画素の表示を制御するための電極として機能するように構成されている。このような構成は、種々の公知文献（例えば、特開２００７−２４８８１６）に開示されており、ここでは、詳細な説明を省略する。
【００３９】
一方、図２に示すように、第２基板８０は、透明な第２の基材８２と、基材８２上の画素領域Ａ１１にそれぞれ配置された画素電極８４と、を有している。また、画素電極８４に対する印可を制御するスイッチング素子８６が、画素電極８４（サブ画素ＳＰ）毎に別個に設けられている。スイッチング素子８６は、例えば低温ポリシリコン技術を用い、薄膜トランジスタ（ＴＦＴ）として形成され得る。このスイッチング素子８６は、上述した制御部２０の映像情報処理部２２に電気的に接続され、映像情報処理部２２の各画素の表示を制御するための駆動回路からの信号に基づいて動作する。第２基板８４上には、スイッチング素子８６の駆動に必要となる、走査線や信号線（データ線）等の種々の回路配線（図示せず）が形成されている。なお、スイッチング素子８６およびスイッチング素子８６にともなう回路配線等の詳細な構成や作製方法、動作方法等については、種々の公知文献（例えば、特開２００７−３１６２４３や特開２００７−２４８８１６）に開示されており、ここでは、詳細な説明を省略する。
【００４０】
さらに、第２基板８０には、液晶パネルの面光源装置側の基板（素子基板、アレイ基板）として有効に機能するため、その他の構成要素が適宜設けられている。例えば、第２基板８０の液晶層４５に対面する側には、第２基材８２上の素子８６等を保護するための保護層８８や、配向膜（図示せず）等が設けられ、さらに、第２基板８０の液晶層４５とは反対の側には、偏光板（図示せず）等が設けられる。このような構成は、種々の公知文献（例えば、特開２００７−２４８８１６）に開示されており、ここでは、詳細な説明を省略する。
【００４１】
以上が、表示パネル４０の主に映像表示装置として機能するための構成である。次に、表示パネル４０の主にタッチパネルとして機能するための構成について説明する。
【００４２】
図２に示すように、第１基材５２の他方の側には、導電性を有した第１電極部（第１電極層）６０および第２電極部（第２電極層）７０が形成されている。すなわち、第１電極部６０および第２電極部７０と、カラーフィルタ層５４と、が第１基材５２を挟んで配置され、第１基材５２の一方の側（面光源装置３０の側、図２における上側）にカラーフィルタ層５４が形成され、第１基材５２の他方の側（観察者の側、図２における下側）に電極部６０，７０が形成されている。
【００４３】
また、第１電極部６０と第２電極部７０との間には、光学等方性のフィルム６７が設けられている。なお、本件明細書で用いる「光学等方性」とは、光学異方性を持たない性質、言い換えると、複屈折性を有さない性質を意味している。そして、光学等方性フィルム６７は、光学等方性として知られている種々の既知なフィルム、例えば、ＴＡＣ（トリアセチルセルロース）製フィルムや、ＣＯＰフィルム（環状オレフィンポリマー）から構成され得る。また、この光学等方性フィルム６７は絶縁性のフィルムであり、表示領域Ａ１の全域に亘って延び広がっている。この結果、第１電極部６０および第２電極部７０は、光学等方性フィルム６７を介して、互いから絶縁されている。
【００４４】
第１電極部６０および第２電極部７０は、導電性を有した材料（例えば、ＩＴＯ）から形成され、外部導体の表示面１２への接触位置を検出するように構成された入力情報処理部２４の検出回路に電気的に接続されている。図２に示すように、第２電極部７０は、第１電極部６０よりも第１基材５２の側に配置されている。言い換えると、第２電極部７０は、第１電極部６０よりもカラーフィルタ層５４の側（面光源装置３０の側）に配置されている。
【００４５】
図２のＩＩＩ−ＩＩＩ線に沿った断面を示す図３に示されているように、第１電極部６０は、第１基板５０の板面に沿った一方向に並べて配列された複数の線状導電体６１からなっている。また、第２電極部７０は、前記一方向と交差する第１基板５０の板面に沿った他方向に並べて配列された複数の線状導電体７１からなっている。本実施の形態において、第１電極部６０の線状導電体６１の配列方向である一方向と、第２電極部７０の線状導電体７１の配列方向である他方向と、は直交している。
【００４６】
図３に示すように、第１電極部６０に含まれる線状導電体６１は、その配列方向（前記一方向）と交差する方向に線状に延びている。同様に、第２電極部７０に含まれる線状導電体７１は、その配列方向（前記他方向）と交差する方向に線状に延びている。とりわけ図示する例において、第１電極部６０に含まれる線状導電体６１は、その配列方向（前記一方向）と直交する方向（前記他方向）に沿って直線状に延びており、第２電極部７０に含まれる線状導電体７１は、その配列方向（前記他方向）と直交する方向（前記一方向）に沿って直線状に延びている。
【００４７】
本実施の形態において、第１電極部６０に含まれる線状導電体６１は、直線状に延びるライン部６１ａと、ライン部６１ａから膨出した膨出部６１ｂと、を有している。図示する例において、ライン部６１ａは、線状導電体６１の配列方向と交差する方向に沿って直線状に延びている。膨出部６１ｂは、第１基板５０の板面に沿ってライン部６１ａから膨らみ出ている部分である。したがって、線状導電体６１の幅は、膨出部６１ｂが設けられている部分において太くなっている。図３に示すように、本実施の形態において、線状導電体６１は、膨出部６１ｂにおいて平面視略円形状の外輪郭を有するようになっている。
【００４８】
第２電極部７０に含まれる線状導電体７１も、第１電極部６０に含まれる線状導電体６１と同様に構成されている。すなわち、第２電極部７０に含まれる線状導電体７１は、直線状に延びるライン部７１ａと、ライン部７１ａから膨出した膨出部７１ｂと、を有している。図示する例において、ライン部７１ａは、線状導電体７１の配列方向と交差する方向に沿って直線状に延びている。膨出部７１ｂは、第１基板５０の板面に沿ってライン部７１ａから膨らみ出ている部分である。したがって、線状導電体７１の幅は、膨出部７１ｂが設けられている部分において太くなっている。図３に示すように、本実施の形態において、線状導電体７１は、膨出部７１ｂにおいて平面視略円形状の外輪郭を有するようになっている。
【００４９】
なお、図３に示すように、第１基板５０の板面の法線方向から観察した場合、第１電極部６０に含まれる各線状導電体６１は、第２電極部７０に含まれる多数の線状導電体７１と交差している。そして、図３に示すように、第１電極部６０の膨出部６１ｂは、線状導電体６１上において、隣り合う二つの線状導電体７１との交差点の間に配置されている。同様に、第１基板５０の板面の法線方向から観察した場合、第２電極部７０に含まれる各線状導電体７１は、第１電極部６０に含まれる多数の線状導電体６１と交差している。そして、第２電極部７０の膨出部７１ｂも、線状導電体７１上において、隣り合う二つの線状導電体６１との交差点の間に配置されている。さらに、本実施の形態において、第１電極部６０に含まれる線状導電体６１の膨出部６１ｂと、第２電極部７０に含まれる線状導電体７１の膨出部７１ｂとは、第１基板５０の板面の法線方向から観察した場合に重ならないように配置されている。
【００５０】
後述するように、カラーフィルタ５０の製造過程において、第１電極部６０および第２電極部７０は光学等方性フィルム６７とともに、電極付フィルム９０を形成し得る。すなわち、電極付フィルム９０は、光学等方性のフィルム６７と、光学等方性フィルム６７の一方の面６７ａ上に支持され、所定のパターンを有する第１電極部６０と、光学等方性フィルム６７の他方の面上に支持され、所定のパターンを有する第２電極部７０と、を有している。そして、この電極付フィルム９０を、絶縁性の接着剤からなる接着層６９を介して、第１基材５２と接合させることにより、第１電極部６０および第２電極部７０が第１基材５２の他方の側に支持されるようになっている。なお、このような接着層６９として、種々の接着性を有した材料からなる層を用いることができる。また、本願明細書において、「接着層」は、粘着剤からなる粘着層をも含む概念として用いる。
【００５１】
さらに、図３に示すように、第１基材５２の他方の側の表面に、導電性を有した外部取り出し線６３が形成されている。外部取り出し線６３は、導電部６０，７０の各線状導電体６１，７１のそれぞれに対して二つ設けられている。外部取り出し線６３は、導電性を有した材料から形成されている。そして、各線状導電体６１，７１の両端に、対応する外部取り出し線６３の一端がそれぞれ電気的に接続されている（図３参照）。また、各外部取り出し線６３は、その他端において、外部導体の表示面１２への接触位置を検出するように構成された入力情報処理部２４の検出回路に電気的に接続されている。つまり、電極部６０，７０の線状導電体６１，７１は、外部取り出し線６３を介して、接触位置を検出する検出回路に電気的に接続されている。
【００５２】
ところで、図２に示すように、表示パネル４０は、導電性を有したシールド層７５をさらに有している。シールド層７５は、第１電極部６０および第２電極部７０と、カラーフィルタ層５４および透明電極層５８と、の間に配置されている。このシールド層７５は、本実施の形態において、導電性と可視光透過性とを有する膜状の層として構成され、接地されている。膜状の層としてのシールド層７５は、表示領域Ａ１の全域に亘って延び広がっている。このようなシールド層７５は、例えば、上述した透明電極層５８や電極部６０と同様に、導電性を有した材料、例えばＩＴＯ（酸化インジウムスズ）等の導電性を有した透明な材料を、スパッタリング等によって成膜することにより形成され得る。
【００５３】
本実施の形態において、シールド層７５は、第１基材５２の一方の側（面光源装置３０の側）の表面に形成されている。すなわち、シールド層７５は、第１基材５２に関して、カラーフィルタ層５４と同じ側に配置されるとともに、第１電極部６０および第２電極部７０とは異なる側に配置されている。したがって、シールド層７５は、第１基材５２を介して第１電極部６０および第２電極部７０から離間して配置され、第１電極部６０および第２電極部７０から絶縁されている。さらに、図２に示すように、シールド層７５およびカラーフィルタ層５４と、透明電極層５８と、の間には、透明な材料からなる絶縁層（絶縁膜）７９が形成されている。絶縁層７９は、膜状の層であり、表示領域Ａ１の全域に亘って延び広がっている。この結果、シールド層７５およびカラーフィルタ層５４は、透明電極層５８から離間して絶縁されている。
【００５４】
次に、以上のような構成からなる第１の基板を製造する方法について説明する。なお、ここでは、第１基板の製造方法の一例として、第１基材５２並びに第１基材５２に支持されたシールド層７５およびカラーフィルタ層５４を有する積層体と、光学等方性フィルム６７並びに光学等方性フィルム６７上に形成された第１電極部６０および第２電極部７０を有する電極付フィルム９０と、を接着層６９を用いて接着することによって、カラーフィルタ５０を製造する方法について説明する。
【００５５】
最初に、第１基材５２、シールド層７５およびカラーフィルタ層５４を有する積層体を準備する工程について説明する。
【００５６】
まず、第１基材５２をなすようになる透明な基材を準備する。透明な基材として代表的には板ガラスが用いられるが、これに限られず、樹脂板が第１基材５２を構成するための透明基材として用いられてもよい。
【００５７】
次に、シールド層７５を第２絶縁層７７上に形成する。一例として、スパッタリングよりシールド層７５をなすようになる材料を第１基材５２上に成膜することによってシールド層７５を形成することができる。なお、シールド層７５をなすようになる材料としては、例えばＩＴＯ（酸化インジウムスズ）等の種々の透光性および導電性を有した材料を用いることができる。
【００５８】
その後、カラーフィルタ層５４をシールド層７５上に形成する。具体的な一例として、まず、フォトリソグラフィ技術を用いたエッチングによって、マトリクス状の遮光部５５をシールド層７５上に形成することができる。その後、フォトリソグラフィ技術を用いたパターニングによって、あるいは、インクジェット印刷によって、各着色部５６Ｒ，５６Ｇ，５６Ｂを形成することができる。
【００５９】
次に、カラーフィルタ層５４を覆うようにして、上述した絶縁層７９を形成する。具体的には、カラーフィルタ層５４を覆うようにして市販されている透明な絶縁フィルムを第１基材５０上にラミネートすることによって絶縁層７９を形成してもよいし、あるいは、カラーフィルタ層５４を覆うようにして絶縁層７９をなすようになる塗工液を第１基材５０上にコーティングすることによって絶縁層７９を形成してもよい。なお、絶縁層７９をなすようになる材料としては、例えばＵＶ硬化型アクリル樹脂等の種々の透明絶縁性材料を用いることができる。
【００６０】
その後、透明電極層５８を絶縁層７９上に形成する。一例として、スパッタリングより透明電極層５８をなすようになる材料を絶縁層７９上に成膜することによって透明電極層５８を形成することができる。なお、透明電極層５８をなすようになる材料としては、例えばＩＴＯ（酸化インジウムスズ）等の種々の透光性および導電性を有した材料を用いることができる。
【００６１】
また、図２に図示されていない配向膜等を形成することにより、最終的に、第１基材５２と、第１基材５２の一方の側に形成されたシールド層７５およびカラーフィルタ層５４等と、を有する積層体が得られる。なお、シールド層７５は、例えば基材５２上に形成された端子を介し、接地されるようになる。
【００６２】
次に、電極付フィルム９０を準備する工程について、主に図５を参照しながら説明する。
【００６３】
まず、図５（ａ）に示すように、光学等方性フィルム６７と、光学等方性のフィルム６７上に積層された第１導電性膜６２および第２導電性膜７２と、第１導電性膜６２および第２導電性膜７２上に積層された第１感光性膜９４ａおよび第２観光成膜９４ｂと、を有する積層体９２を準備する。具体的には、まず、光学等方性フィルム６７をなすようになる透明で絶縁性のフィルムを準備する。このようなフィルム６７として、代表的には、ＴＡＣフィルムやＣＯＰフィルムを用いることができる。
【００６４】
次に、光学等方性フィルム６７の一方の面６７ａ上に第１導電性膜６２を形成し、光学等方性フィルム６７の他方の面６７ｂ上に第２導電性膜７２を形成する。一例として、第１電極部６０および第２電極部７０をなすようになる材料をスパッタリングより光学等方性フィルム６７上に成膜することによって第１導電性膜６２および第２導電性膜７２を形成することができる。なお、第１導電性膜６２および第２導電性膜７２をなすようになる材料としては、例えばＩＴＯ（酸化インジウムスズ）等の種々の透光性および導電性を有した材料を用いることができる。
【００６５】
その後、第１導電性膜６２上に感光性材料をコーティングして第１感光性膜９４ａを形成するとともに、第２導電性膜７２上に感光性材料をコーティングして第２感光性膜９４ｂを形成する。このようにして、積層体９２が得られる。
【００６６】
次に、形成されるべき第１電極部６０のパターンに対応した所定のパターンを有する第１マスク９６ａを積層体９２の第１感光性膜９４ａ上に配置するとともに、形成されるべき第２電極部７０のパターンに対応した所定のパターンを有する第２マスク９６ｂを積層体９２の第２感光性膜９４ｂ上に配置する。図５（ｂ）に示すように、この状態で、第１感光性膜９４ａおよび第２感光性膜９４ｂの感光特性に対応した露光光を積層体９２に両側から照射し、第１感光性膜９４ａおよび第２感光性膜９４ｂを同時にパターン露光する。その後、第１マスク９６ａおよび第２マスク９６ｂを取り除き、第１感光性膜９４ａおよび第２感光性膜９４ｂを現像する。このようにして、図５（ｃ）に示すように、第１感光性膜９４ａおよび第２感光性膜９４ｂがパターニングされる。
【００６７】
その後、図５（ｄ）に示すように、第１感光性膜９４ａおよび第２感光性膜９４ｂがパターニングされた積層体９２をエッチングする。これにより、第１導電性膜６２がパターニングされ第１電極部６０が形成されるとともに、第２導電性膜７２がパターニングされ第２電極部７０が形成される。最後に、積層体９２から第１感光性膜９４ａおよび第２感光性膜９４ｂを除去することにより、電極付フィルム９０が得られる（図５（ｅ）参照）。
【００６８】
このような方法によれば、第１感光性膜９４ａおよび第２感光性膜９４ｂが同時に露光される。両面同時露光プロセスにおいては、第１マスク９６ａおよび第２マスク９６ｂのそれぞれにアライメントマークを設けておくことにより、第１マスク９６ａおよび第２マスク９６ｂを互いに対して、例えばミクロン単位のオーダーで極めて精度良く、且つ、極めて容易に（したがって、短時間で）位置決めすることが可能となる。この結果、電極付フィルム９０において、第１電極部６０および第２電極部７０の両方が光学等方性フィルム６７上に極めて精度良く効率的に位置決めされるようになる。
【００６９】
その一方で、第１感光性膜９４ａおよび第２感光性膜９４ｂを一つずつ順に露光する場合には、精度良く且つ容易に、第１電極部６０および第２電極部７０を作製することができない。第１電極部６０および第２電極部７０の両方を精度良く作製しようとすると、第１電極部６０および第２電極部７０の一方をアライメントマークとともにフィルム６７上に形成し、その後、このフィルム６７上に形成されたアライメントマークに対し、第１電極部６０および第２電極部７０の他方の形成に用いられるマスクを位置決めすることになる。すなわち、露光だけでなく、現像やエッチングといった各工程をも、第１電極部６０および第２電極部７０のそれぞれに対して別個に行う必要が生じる。このため、第１電極部６０および第２電極部７０を効率良く短時間で容易に形成することができない。
【００７０】
また、アライメントマークを用いることなく、例えば基材（フィルム６７）の端部を基準として第１マスク９６ａおよび第２マスク９６ｂを位置決めしながら第１電極部６０および第２電極部７０を露光することも可能である。この方法によれば、第１電極部６０および第２電極部７０のそれぞれに対して現像やエッチングといった各工程をも別個に行う上述の方法と比較して、第１電極部６０および第２電極部７０を効率良く形成することができる。しかしながら、第１電極部６０および第２電極部７０の位置決め精度は、基材（フィルム６７）の外形精度に依存してしまう。一般的に、この方法によれば、第１電極部６０および第２電極部７０の位置決め精度は数十ミクロン単位でしか期待することができない。
【００７１】
以上のことから、本実施の形態の方法によれば、第１電極部６０および第２電極部７０を互いに対して容易かつ精度良く位置決めすることができる。すなわち、電極付フィルム９０において、第１電極部６０および第２電極部７０の両方を光学等方性フィルム６７上に極めて精度良く位置決めすることができる。
【００７２】
最後に、以上のようにして得られた、第１基材５２、シールド層７５およびカラーフィルタ層５４等を有する積層体と、電極付フィルム９０とを、接着層６９を介して接合することにより、カラーフィルタ５０が得られる。
【００７３】
次に、以上のような構成からなる表示装置１０を使用する際の作用について説明する。上述してきたように、本実施の形態による表示装置１０は、映像を表示するための装置として機能するとともに、タッチパネルとしても機能するように構成されている。このうち、まず、映像を表示するための装置として機能する際の表示装置１０の作用について説明し、その後、タッチパネルとして機能する際の表示装置１０の作用について説明する。
【００７４】
表示装置１０が映像を表示するための装置として使用される場合、制御部２０の映像情報処理部２２からの制御によって、素子基板８０に設けられたスイッチング素子８６が動作させられる。これにより、各画素からの光の透過が制御され、表示面１２に所望の映像が表示されるようになる。
【００７５】
上述したように、この表示装置１０は、静電容量結合方式のタッチパネルとしても機能する。本実施の形態において、静電容量結合方式のタッチパネルに含まれる電極部６０，７０は独立した支持基材に支持されるのではなく、表示装置１０のカラーフィルタ基板５０によって支持されている。したがって、表示装置とは別体のタッチパネルを表示装置の表示面へ貼合することと比較して、照明等の環境光（外光）や映像光等を反射し得る界面の数を減じることができる。これにより、映像光の透過率が上昇してエネルギ効率が向上するとともに、環境光の反射を抑制して表示装置１０に表示される映像のコントラストを向上させることができる。以上のことから、本実施の形態による表示装置１０によれば、タッチパネル機能を付与されているものの、優れた画質の映像を表示することができる。
【００７６】
また、上述したように、カラーフィルタ層５４を形成された基材５２に対し、第１電極部６０および第２電極部７０を有する電極付フィルム９０を貼り付けることによって、カラーフィルタ５０を作製した場合、表示装置１０に含まれる一対の偏光板間に、電極付フィルム９０が配置されるようになる。本実施の形態において、第１電極部６０および第２電極部７０を支持する電極付フィルム９０の本体部（支持体）は、光学等方性のフィルム６７によって構成されている。したがって、電極付フィルム９０の本体部（支持体）として機能するフィルム６７は、透過光の偏光状態を乱してしまうことはない。これにより、入光側の偏光板を透過した特定の偏光状態の光が、電極付フィルム９０を透過した後に、出光側の偏光板５９をさらに透過することが可能であり、表示パネル４０の透過率を低下させてしまうことはない。
【００７７】
次に、タッチパネルとして使用する際の作用について説明する。
【００７８】
外部の導体（例えば、人間の指）が表示面１２に接触すると、当該外部導体と、外部導体による表示面１２への接触位置の近傍に位置する電極部６０，７０の各線状導電体６１，７１と、が電極として機能し、電解が形成される。この際、外部導体と各線状導電体６１，７１との間に位置する偏光板５９等は誘電体として機能する。すなわち、外部導体が表示面１２に接触することにより、外部導体と電極部６０，７０とを電極とするコンデンサが形成される。
【００７９】
制御部２０の入力情報処理部２４の検出回路は、各線状導電体６１，７１に接続され、各線状導電体６１，７１と外部導体との間の静電容量を検出することができるようになっている。そして、入力情報処理部２４が、各線状導電体６１，７１と外部導体との間の静電容量の変化を検出することによって、外部導体が第１電極部６０のいずれの線状導電体６１に対面しているか、並びに、外部導体が第２電極部７０のいずれの線状導電体７１に対面しているかを特定することができる。
【００８０】
すなわち、入力情報処理部２４の検出回路は、前記一方向に並べて配列された第１電極部６０の線状導電体６１のうちから、外部導体と対面している線状導電体を特定することによって、前記一方向に延びる座標軸上における外部導体の位置を特定する。同様に、入力情報処理部２４の検出回路は、前記他方向に並べて配列された第２電極部７０の線状導電体７１のうちから、外部導体と対面している線状導電体を特定することによって、前記他方向に延びる座標軸上における外部導体の位置を特定する。このようにして、表示面１２への外部導体の接触位置を二つの方向において検出することにより、外部導体の表示面１２への接触位置の位置座標を、表示面１２上で精度良く特定することができる。
【００８１】
なお、容量結合方式のタッチパネルにおける接触位置の検出方法のこれ以上の詳細は、例えば上述した特許文献１（特開２００６−２３９０４号公報）に開示されており、ここでは、これ以上の説明を省略する。
【００８２】
図２に示すように、第１電極部６０および第２電極部７０は、第１基板５０の板面への法線方向に沿って異なる位置に配置されている。具体的には、第２電極部７０は、第１電極部６０よりも表示面１２から離間した位置に配置されている。このため、外部導体が接触する表示面１２上での位置によっては、第１電極部６０の線状導電体６１が、外部導体と第２電極部７０の線状導電体７１との間に介在するようになる。この場合、外部導体と第２電極部７０との間で、コンデンサが有効に形成されなくなる可能性がある。
【００８３】
一方、本実施の形態によれば、図３に示すように、第１電極部６０の線状導電体６１はライン部６１ａと膨出部６１ｂとを有し、第２電極部７０の線状導電体７１はライン部７１ａと膨出部７１ｂとを有している。各線状導電体６１，７１において、膨出部６１ｂ，７１ｂにおける幅は、ライン部６１ａ，７１ａにおける幅と比較して非常に太くなっている。そして、上述したように、第１電極部６０に含まれる線状導電体６１の膨出部６１ｂと、第２電極部７０に含まれる線状導電体７１の膨出部７１ｂとは、第１基板５０の板面の法線方向から観察した場合に重ならないように配置されている。
【００８４】
したがって、外部導体が表示面１２へ接触した際に、当該外部導体と第２電極部７０の線状導電体７１との間でコンデンサを安定して形成することができるようになる。これにより、外部導体の接触面１２への接触位置（タッチ位置）を、第２電極部７０の線状導電体７１の配列方向と平行な方向において、極めて感度良く正確に検出することが可能となる。また、ＩＴＯを効果的に使用して高感度のタッチ位置の検出を実現しながら、高価なＩＴＯの使用量を低減してコスト削減を図ることも可能となる。
【００８５】
ところで、表示装置１０が映像を表示する際には、各画素での表示を制御するために、スイッチング素子８６の駆動によって、画素電極８４と透明電極層５８との間に電圧が印可される。そして、本件発明者が鋭意研究を重ねたところ、この電圧の印可に起因して、表示面１２への外部導体の接触を検出するための検出回路へ電気的なノイズが加えられてしまうことが知見された。一方、本実施の形態によれば、透明電極層５８と電極部６０，７０との間に接地されたシールド層７５が設けられている。そして、このシールド層７５により、映像表示装置として機能するための駆動回路と、タッチパネルとして機能するための検出回路と、が電気的に干渉してしまうことを防止することができる。これにより、表示面１２への外部導体の接触を感度良く正確に検出することができる。
【００８６】
また、上述したように、制御部２０の映像情報処理部２２と入力情報処理部２４とは接続されている。入力情報処理部２４は、導体が表示面１２の所定の位置に接触することによって入力された情報を、映像情報処理部２２へ送信することができる。映像情報処理部２２は、入力情報処理部２４で読み取られた入力情報に基づいて、当該入力情報に対応した映像を表示装置１０に表示させるようにすることもできる。すなわち、出力手段としての表示機能および入力手段としてのタッチパネル機能により、表示装置１０の使用者（操作者）と当該表示装置１０との間で、対話形式での情報のやりとり（例えば、使用者の表示装置１０に対する指示および表示装置１０による当該指示の実行）を実現することができる。
【００８７】
とりわけ、上述したように、第１電極部６０および第２電極部７０が同時露光プロセスを経て光学等方性フィルム６７上にパターニングされている場合、第１電極部６０の各線状導電体６１および第２電極部７０の各線状導電体７１が互いに対して精度良く位置決めされるようになる。結果として、第１電極部６０の各線状導電体６１および第２電極部７０の各線状導電体７１の両方を、カラーフィルタ層５４に対しても精度良く位置決めすることが可能となるこの場合、外部導体の表示面１２への接触位置を画素配列に対応して精度良く検出することができる。この結果、表示面１２に表示される映像情報に対応した入力を高分解能で高精度に検出することができ、これにより、表示装置１０の使用者（操作者）と当該表示装置１０との間での対話形式での情報交換が極めて円滑に進められるようになる。
【００８８】
以上のような本実施の形態によれば、表示装置用の基板５０が、板状の基材５２と、基材の一方の側に積層され複数の着色部５６を有するカラーフィルタ層５４と、基材５２の他方の側に積層され、基板５０が表示装置１０に組み込まれた際に接触を検出するための回路に電気的に接続されるように構成された電極部６０，７０と、を有している。すなわち、静電容量結合方式タッチパネル用の電極部６０，７０を表示装置用の基板５０に形成し、表示装置１０の表示パネル１２にタッチパネル機能を付与している。これにより、別体のタッチパネルを表示装置の表示面へ貼合することと比較して、製造コストを大幅に低減することができる。また、別体のタッチパネルを表示装置の表示面へ貼合することと比較して、照明等の環境光（外光）や映像光等を反射し得る界面の数を減じることができる。これにより、映像光の透過率が上昇してエネルギ効率が向上するとともに、環境光の反射を抑制して表示装置１０に表示される映像のコントラストを向上させることができる。さらに、別体のタッチパネルを表示装置の表示面へ貼合することと比較して、表示装置の表示パネル部分の総厚みを大幅に減じることができる。
【００８９】
また、タッチパネル機能として、最も広く普及している抵抗膜方式ではなく、静電容量結合方式を採用している。抵抗膜方式では、空気層を介して二枚の導電性膜を離間して配置させる必要がある。一方、静電容量結合方式では、二枚の導電性膜を空気層により離間させる必要がないため、空気層と導電性膜との界面における反射、とりわけ屈折率差に起因した全反射や、空気層の介在に起因したニュートンリングの発生等の不具合を回避することができる。そもそも、静電容量結合方式では、導電性膜を二枚設ける必要がなく、これにより、映像画質の改善だけでなく、表示装置１０のさらなる薄型化および低コスト化を図ることもできる。
【００９０】
また、本実施の形態によれば、表示面１２に沿って互いに異なる方向に延びる線状導電体６１，７１を含んだ第１電極部６０および第２電極部７０が設けられている。そして、外部導体（典型的には、人間の指）の表示面１２への接触位置が、第１電極部６０に含まれる線状導電体６１の配列方向における位置と、第２電極部７０に含まれる線状導電体７１の配列方向における位置と、に分解して特定されるように構成されている。このような方法によれば、極めて高精度に、外部導体の表示面１２への接触位置の位置座標を検出することができる。
【００９１】
なお、上述した実施の形態に対して様々な変更を加えることが可能である。以下、変形の一例について説明する。
【００９２】
例えば、上述した実施の形態において、第１電極部６０および第２電極部７０をＩＴＯから形成する例を示したがこれに限られない。一例として、金属（銅やアルミニウム等）によって、電極部６０，７０をストライプ状に形成するようにしてもよい。電極部６０，７０が表示領域Ａ１内を延び亘る膜（シート）として形成されていない場合には、透光性を有さない材料（例えば、銅やアルミニウム等の金属）から電極部６０，７０を形成するとともに電極部６０，７０を透過する映像光を所望の程度で観察し得るように、電極部６０，７０を設計することができる。すなわち、電極部６０，７０は、面状（シート状）の透明導電体に限られず、格子状（メッシュ状）にパターニングされた金属層や縞状（ストライプ状）にパターニングされた金属層等からも構成され得る。
【００９３】
また、上述した実施の形態において、第１電極部６０の線状導電体６１はライン部６１ａと膨出部６１ｂとを有し、第２電極部７０の線状導電体７１はライン部７１ａと膨出部７１ｂとを有している例を示した。また、上述した実施の形態において、膨出部６１ｂ，７１ｂが平面視略円形状に形成されている例を示した。しかしながら、これに限られず、一例として、膨出部６１ｂ，７１ｂが、平面視において、正方形や菱形等の四角形形状であってもよい。また、線状導電体６１，７１が、膨出部６１ｂ，７１ｂを有さず、直線状の輪郭を有するようにしてもよい。
【００９４】
さらに、上述した実施の形態において、第１電極部６０の線状導電体６１と、第２電極部７０の線状導電体７１とが、同一に構成される例を示したが、これに限られない。例えば、図６に示すように、第２電極部７０の導電体７１の線幅ｗ２が、表示装置１０の表示面１２（観察者側面）からより近い位置に配置された第１電極部６０の導電体６１の線幅ｗ１よりも太くなるようにしてもよい。このような例によれば、外部導体が表示面１２へ接触した際に、表示装置１０の表示面１２（観察者側面）から比較的に遠い位置に配置された第２電極部７０の線状導電体７１と、当該外部導体と、の間でコンデンサを安定して形成することができるようになる。また、表示面１２に接触する外部導体と第１電極部６０の導電体６１との間で形成されるコンデンサの静電容量と比較して、表示面１２に接触する外部導体と第２電極部７０の導電体７１との間で形成されるコンデンサの静電容量が低くなってしまうことを防止することができる。これにより、外部導体の接触面１２への接触位置（タッチ位置）を、第１電極部６０の線状導電体６１の配列方向と平行な方向だけでなく、第２電極部７０の線状導電体７１の配列方向と平行な方向においても、極めて感度良く正確に検出することが可能となる。
【００９５】
なお、図６に示す変形例において、その他の部分の構成については、上述した実施の形態と同様に構成され得る。図６において、上述した実施の形態と同一に構成され得る部分には同一符号を付し、重複する説明を省略する。
【００９６】
さらに、上述した実施の形態において、第１電極部６０および第２電極部７０の二つの電極部が設けられる例を示したが、これに限られない。一例として、第２電極部７０を省略することもできる。すなわち、電極部が一層のみしか設けられていないようにしてもよい。この場合、膜状の透明導電体や格子模様（メッシュパターン）の導電体等から電極部を構成することができる。例えば、電極部の四隅から電圧を印可するとともに、外部導体の表示面への接触時（タッチ時）に四隅から流れ込む電流の電流値を観測することにより、外部導体の表示面１２への接触位置の位置座標を、表示面に沿った座標軸上で特定することができる。
【００９７】
さらに、上述した実施の形態において、シールド層７５がＩＴＯからなる膜状の透明電極層として形成されている例を示したが、これに限られない。例えば、シールド層７５が表示領域Ａ１内を延び亘る膜（シート）として形成されていない場合には、透光性を有さない材料（例えば、銅やアルミニウム等の金属）からシールド層７５を形成するとともにシールド層７５を透過する映像光を所望の程度で観察し得るように、シールド層７５を設計することができる。すなわち、シールド層７５は、シート状の透明導電体に限られず、格子状（メッシュ状）にパターニングされた金属層等からも構成され得る。
【００９８】
さらに、上述した実施の形態において、カラーフィルタ層５４と透明電極層５８との間に絶縁層７９が設けられている例を示したが、これに限られない。カラーフィルタ層５４とシールド層７５との間に絶縁層７９が設けられていてもよい。また、シールド層７５が透明電極層５８から絶縁される場合には、絶縁層７９を省略することができる。
【００９９】
さらに、上述した実施の形態において、シールド層７５が、第１基材５２の一方の側（面光源装置３０の側）の表面に形成され、第１基材５２に関して、カラーフィルタ層５４と同じ側に位置するとともに、電極層６０，７０とは異なる側に位置する例を示した。しかしながら、これに限られず、図７に示すように、シールド層７５が、第１基材５２の他方の側（観察者の側）の表面に形成されるようにしてもよく、とりわけ、第１基材５２の他方の側の表面に形成されるようにしてもよい。すなわち、図７に示す例において、シールド層７５は、第１基材５２に関して、カラーフィルタ層５４とは異なる側に配置されるとともに、電極層６０，７０と同じ側に配置されている。そして、図７に示す例においては、シールド層７５と電極部７０との間に、接着層としても機能し得る透明な絶縁層（絶縁膜）７９が形成されている。この絶縁層７９は、膜状の層であり、表示領域Ａ１の全域に亘って延び広がっている。この結果、シールド層７５は、第１基材５２を介して透明電極層５８から絶縁されるとともに、絶縁層７９を介して電極部６０，７０からも絶縁されるようになる。このようなシールド７５の構成によっても、上述したシールド層７５の作用効果と同一の作用効果を期待することができる。
【０１００】
なお、図７における表示装置１０において、その他の部分の構成については、上述した実施の形態と同様に構成され得る。図７において、上述した実施の形態と同一に構成され得る部分には同一符号を付し、重複する説明を省略する。
【０１０１】
さらに、上述した実施の形態において、第１の基板（対向基板、表示装置用基板）５０を用いて液晶表示装置（液晶表示パネル）を構成する例を示したが、これに限られない。上述した第１の基板５０を用いて、液晶表示装置以外の表示装置、例えばＥＬ表示装置やプラズマディスプレイを構成することもできる。さらに、各画素の表示を制御するための電極（透明電極層５８）を第１の基板（対向基板、表示装置用基板）５０に配置する必要がない場合には、当然に、第１の基板（対向基板、表示装置用基板）５０から透明電極層５８を削除してもよい。
【０１０２】
なお、以上において上述した実施の形態に対するいくつかの変形例を説明してきたが、当然に、複数の変形例を適宜組み合わせて適用することも可能である。
【図面の簡単な説明】
【０１０３】
【図１】図１は、本発明による一実施の形態を説明するための図であって、表示装置の構成を概略的に示す図である。
【図２】図２は、表示装置の表示面への法線方向に沿った断面において、図１の表示装置に組み込まれた表示パネルを示す断面図である。
【図３】図３は、図２の表示パネルに組み込まれたカラーフィルタ（第１基板）の電極部の構成を説明するための図であって、電極部を有する電極付フィルムを示す上面図である。なお、図３は、図２のＩＩＩ−ＩＩＩ線の沿った断面図にも概ね対応している。
【図４】図４は、図２の表示パネルに組み込まれたカラーフィルタ（第１基板）のカラーフィルタ層を示す平面図である。
【図５】図５（ａ）〜図（ｂ）は、電極付フィルムの製造方法を説明するための断面図である。
【図６】図６は、図３に対応する図であって、電極部の変形例を説明するための図である。
【図７】図７は、図２に対応する図であって、表示装置および表示装置用基板の変形例を説明するための図である。
【符号の説明】
【０１０４】
１０  表示装置
１２  表示面
２０  制御部
３０  面光源装置
４０  表示パネル
４５  液晶層
５０  基板（対向基板、第１基板、表示装置用基板、カラーフィルタ基板）
５２  基材（第１基材）
５４  カラーフィルタ層
５６，５６Ｒ，５６Ｇ，５６Ｂ  着色部
５８  透明電極層
６０  電極部電極部
６３  外部取り出し線
６７  光学等方性フィルム
６７ａ  一方の面
６７ｂ  他方の面
７５  シールド層
７９  絶縁層（絶縁膜、接着層）
８０  基板（第２基板、素子基板、アレイ基板）
９０  電極付フィルム
９２  積層体
９６ａ  第１マスク
９６ｂ  第２マスク
【図１】
2010072584.tif 000003
【図２】
2010072584.tif 000004
【図３】
2010072584.tif 000005
【図４】
2010072584.tif 000006
【図５】
2010072584.tif 000007
【図６】
2010072584.tif 000008
【図７】
2010072584.tif 000009